(57)【要約】【課題】死後、顎部の筋肉が弛緩し、口が開くのを簡便かつ確実に防止できる顎弛緩防止具を収容するための容器及びこれらのユニットからなる遺体用顎弛緩防止装置を提供する。【解決手段】遺体用顎弛緩防止装置１は、顎弛緩防止具３０とそれを収容する容器２からなる。顎弛緩防止具は、臼歯の内側面に配置される左右壁部を有する略Ｕ字状の二股状接合部材３１と、該二股状接合部材の両端部側の左右壁部上端から外側方に延在する、遺体の臼歯を覆う一対の板状部３４とを備え、上記板状部の上面及び下面の臼歯と接触する面に粘接着剤層４０が形成されている。容器は、顎弛緩防止具を載置するための本体部３と、顎弛緩防止具を覆うための空間部を有する蓋部４とが折曲自在な連結部５によって一体的に連結されており、二股状分岐部３３を挟持するように、且つ板状部収容空間の蓋部分は板状部との間に隙間を有するように構成されている。【選択図】図１
2011024723.tif 000002
【特許請求の範囲】
【請求項１】
臼歯の内側面に配置される左右壁部（３２）を有する略Ｕ字状の二股状接合部材（３１）と、該二股状接合部材の両端部側の左右壁部上端から外側方に延在する、遺体の臼歯を覆う一対の板状部（３４）とを備え、上記板状部の上面及び下面の臼歯と接触する面に粘接着剤層（４０）が形成されており、上記粘接着剤で上下の歯列を接着し、顎の弛緩による開口を防止できるようにした遺体用顎弛緩防止具（３０）を収容する容器（２）であって、上記顎弛緩防止具を載置するための本体部（３）と、上記顎弛緩防止具を覆うための空間部（Ｓ）を有する蓋部（４）とが折曲自在な連結部（５）によって一体的に連結されており、上記蓋部の空間部は上記二股状接合部材の二股状分岐部（３３）を収容する空間（Ｓ１）と上記板状部を収容する空間（Ｓ２）とを有し、上記二股状分岐部収容空間（Ｓ１）の蓋部分は上記本体部（３）との間に二股状分岐部（３３）を挟持するように構成され、上記板状部収容空間（Ｓ２）の蓋部分は板状部（３４）との間に隙間を有するように構成されていることを特徴とする遺体用顎弛緩防止具を収容するための容器。
【請求項２】
前記本体部（３）には、前記二股状接合部材（３１）の二股状分岐部（３３）の下端部を載置するための凹所（１０）が形成されていると共に、左右壁部（３２）の下端部を載置するための凹溝（１２）が形成されていることを特徴とする請求項１に記載の容器。
【請求項３】
前記蓋部（４）の二股状分岐部収容空間（Ｓ１）の蓋部分には、前記二股状接合部材（３１）の二股状分岐部（３３）に対応する形状の凹溝（１９）が形成されていることを特徴とする請求項１又は２に記載の容器。
【請求項４】
前記本体部（３）の辺部所定位置には突部（１４）が形成され、前記蓋部（４）の上記突部に対応する辺部所定位置には上記突部に嵌め合わされる凹部（２１）が形成されており、上記突部（１４）に上記凹部（２１）を嵌め合わせることによって本体部（３）に蓋部（４）を嵌め合わせることができるように構成されていることを特徴とする請求項１乃至３のいずれか一項に記載の容器。
【請求項５】
前記本体部（３）と蓋部（４）の辺縁部には、中心から互いに逆方向に位置ずれしてそれぞれつまみ部（１５，２２）が突設されており、本体部に蓋部を嵌め合わせた時に各つまみ部が位置ずれするように構成されていることを特徴とする請求項１乃至４のいずれか一項に記載の容器。
【請求項６】
前記請求項１乃至５のいずれか一項に記載の容器（２）と、
該容器内に収容された遺体用顎弛緩防止具（３０）であって、臼歯の内側面に配置される左右壁部（３２）を有する略Ｕ字状の二股状接合部材（３１）と、該二股状接合部材の両端部側の左右壁部上端から外側方に延在する、遺体の臼歯を覆う一対の板状部（３４）とを備え、上記板状部の上面及び下面の臼歯と接触する面に粘接着剤層（４０）が形成されており、上記粘接着剤で上下の歯列を接着し、顎の弛緩による開口を防止できるようにした顎弛緩防止具（３０）
とからなり、上記顎弛緩防止具（３０）の二股状分岐部（３３）は、上記容器（２）の蓋部（４）の二股状分岐部収容空間（Ｓ１）の蓋部分と本体部（３）との間に挟持され、上記顎弛緩防止具の一対の板状部（３４）は上記容器（２）の蓋部（４）の板状部収容空間（Ｓ２）の蓋部分との間に隙間を有するように収容されていることを特徴とする遺体用顎弛緩防止装置（１）。
【発明の詳細な説明】
【技術分野】
【０００１】
本発明は、遺体の顎筋肉の弛緩による口開を簡単な操作で確実に防止する顎弛緩防止具を収容するための容器、及び該顎弛緩防止具と容器の組合せユニットからなる遺体用顎弛緩防止装置に関するものである。
【背景技術】
【０００２】
一般に、ヒトの死亡直後、最初に起きる現象は筋肉の弛緩である。顎に関しては、オトガイ舌筋、オトガイ舌骨筋、顎舌骨筋が弛緩し、下顎が落ち込み、その結果、遺体の口が開いた状態となる。ヒトの顎関節の「死後硬直」は、通常、１〜２時間後に発現し、３０〜４０時間後に消失が始まり、また筋肉が弛緩する。然るに、美的観点から、口が開かないように顎を上方に押し上げ、口が閉じたままの状態に維持しなければならない。
【０００３】
通常、この問題を解決するために、包帯を用いたり、頭当て部と、帯状体に対しスライド調整可能な顎パッドを有する帯状体とを備え、帯状体の一方端部を頭当て部の一方側に面ファスナーにより着脱自在に固定する顎弛緩防止具、所謂顎バンド（特許文献１参照）や、顎の下側の頚部の前方部外周に当接し、前記前方部外周を把持するよう構成された略Ｕ字状のアーム部を有する顎支持部と、遺体の胸や鎖骨に当接する下方支持部とを備え、上記顎支持部に弾性フランジを前側に突設して顎を上方に支持するようにした顎支持装置（商品名：チンカラー）（特許文献２参照）を使用することが一般的に行われている。
【０００４】
前記包帯や顎バンドを使用する場合、包帯や顎バンドを遺体の下顎の下部にあてがい、頬の両側に沿って伸ばし、頭の頂上部で互いに結びつけるか、あるいは着脱自在の面ファスナーなどにより留める。しかしながら、これらの処置方法では次のような欠点がある。
−これらの処置は、通常、従業員や看護師等の手によって行われるが、処置の作業が煩雑で、満足な結果を得るには二人の従業員や看護師を必要とする。
−包帯や顎バンドが緩んだり、外れたりする。
−親族は遺体をすこしでも美的に美しくすることを願っているが、この方法では、顎から頬が包帯や顎バンドで包まれ、髪の毛は押さえつけられているために、美的に満足する方法とは言い難い。
【０００５】
また、前記顎支持装置（商品名：チンカラー）は、略Ｕ字状のアーム部を遺体の首部にしっかり固定させ、弾性フランジ部を下顎の下部にあてがい、下顎を弾性フランジで上方に支持するものであるため、首部や下顎の支持部が鬱血し、黒くアザになる。黒くアザになった状態や、略Ｕ字状のアーム部で首部を締め付けた状態を親族が見たとき、美的に満足する方法とは言い難い。
【０００６】
また、他の顎弛緩防止方法として、口中の前側部の中切歯、側切歯、犬歯の上下の歯列又は歯茎とに跨るように、顎弛緩防止具の連結された内側の固定部材と外側の固定部材で挟み、内側の固定部材外面及び外側の固定部材内面に設けられた粘接着性材料層で上下の歯列又は歯茎に接着するか、あるいは連結部材のラチェット機構により固定することが提案されている（特許文献３参照）。
しかしながら、通常、ヒトの上下の歯列又は歯茎は重ならないので、この方法で上下の歯列を固定することは非常に難しい。また、遺体の口前面部の歯列又は歯茎で固定させるので、唇が綺麗に閉じず、遺体の形相が悪くなり、美的観点から問題がある。また、処置が煩雑で、遺体の口内に装着することが難しい。
【０００７】
さらに、前記したような顎弛緩防止器具は人目に付きやすく、遺体の尊厳を損なうため、遺体を納棺する際は、取り除かれるのが通常である。しかしながら、遺体の死後硬直は継続したままではなく、１日〜２日後には再び筋肉の弛緩が起こるため、葬儀当日に、再び開口してしまい、上記のような器具による処置では無駄になることが、多々ある。
【先行技術文献】
【特許文献】
【０００８】
【特許文献１】特開平８−７１１１２号公報（特許請求の範囲）
【特許文献２】特許第３７３２０９１号公報（特許請求の範囲）
【特許文献３】特開２００１−２５８９６３号公報（特許請求の範囲）
【発明の概要】
【発明が解決しようとする課題】
【０００９】
本発明は、前記したような従来の遺体用顎弛緩防止具の不都合な点や問題点を解決するものであり、死後、顎部の筋肉が弛緩し、口が開くのを簡便かつ確実に防止することができる遺体用顎弛緩防止具を安定して収容できると共に、容器を開いたときに迅速に遺体用顎弛緩防止具を取り出し、すぐに使用可能とするための容器を提供することにある。
さらに本発明の目的は、死後、顎部の筋肉が弛緩し、口が開くのを簡便かつ確実に防止する処置を迅速に行うことができる遺体用顎弛緩防止具と容器の組合せユニットからなる遺体用顎弛緩防止装置を提供することにある。
【課題を解決するための手段】
【００１０】
前記目的を達成するために、本発明によれば、臼歯の内側面に配置される左右壁部を有する略Ｕ字状の二股状接合部材と、該二股状接合部材の両端部側の左右壁部上端から外側方に延在する、遺体の臼歯を覆う一対の板状部とを備え、上記板状部の上面及び下面の臼歯と接触する面に粘接着剤層が形成されており、上記粘接着剤で上下の歯列を接着し、顎の弛緩による開口を防止できるようにした遺体用顎弛緩防止具を収容する容器であって、上記顎弛緩防止具を載置するための本体部と、上記顎弛緩防止具を覆うための空間部を有する蓋部とが折曲自在な連結部によって一体的に連結されており、上記蓋部の空間部は上記二股状接合部材の二股状分岐部を収容する空間と上記板状部を収容する空間とを有し、上記二股状分岐部収容空間の蓋部分は上記本体部との間に二股状分岐部を挟持するように構成され、上記板状部収容空間の蓋部分は板状部との間に隙間を有するように構成されていることを特徴とする遺体用顎弛緩防止具を収容するための容器が提供される。
尚、本明細書において、「粘接着剤層」とは、粘着剤層及び接着剤層を含む包括的な用語と理解されるべきである。
【００１１】
好適な態様においては、前記本体部には、前記二股状接合部材の二股状分岐部の下端部を載置するための凹所が形成されていると共に、左右壁部の下端部を載置するための凹溝が形成されている。さらに好適な態様においては、前記蓋部の二股状分岐部収容空間の蓋部分には、前記二股状接合部材の二股状分岐部に対応する形状の凹溝が形成されている。
【００１２】
別の好適な態様においては、前記本体部の辺部所定位置には突部が形成され、前記蓋部の上記突部に対応する辺部所定位置には上記突部に嵌め合わされる凹部が形成されており、上記突部に上記凹部を嵌め合わせることによって本体部に蓋部を嵌め合わせることができるように構成されている。また、開閉が容易な好適な態様においては、前記本体部と蓋部の辺縁部には、中心から互いに逆方向に位置ずれしてそれぞれつまみ部が突設されており、本体部に蓋部を嵌め合わせた時に各つまみ部が位置ずれするように構成されている。
【００１３】
さらに本発明によれば、前記容器と、該容器内に収容された遺体用顎弛緩防止具であって、臼歯の内側面に配置される左右壁部を有する略Ｕ字状の二股状接合部材と、該二股状接合部材の両端部側の左右壁部上端から外側方に延在する、遺体の臼歯を覆う一対の板状部とを備え、上記板状部の上面及び下面の臼歯と接触する面に粘接着剤層が形成されており、上記粘接着剤で上下の歯列を接着し、顎の弛緩による開口を防止できるようにした顎弛緩防止具とからなり、上記顎弛緩防止具の二股状分岐部は、上記容器の蓋部の二股状分岐部収容空間の蓋部分と本体部との間に挟持され、上記顎弛緩防止具の一対の板状部は上記容器の蓋部の板状部収容空間の蓋部分との間に隙間を有するように収容されていることを特徴とする遺体用顎弛緩防止装置が提供される。
【発明の効果】
【００１４】
本発明の遺体用顎弛緩防止具を収容するための容器は、臼歯の内側面に配置される左右壁部を有する略Ｕ字状の二股状接合部材と、該二股状接合部材の両端部側の左右壁部上端から外側方に延在する、遺体の臼歯を覆う一対の板状部とを備え、上記板状部の上面及び下面の臼歯と接触する面に粘接着剤層が形成されており、上記粘接着剤で上下の歯列を接着し、顎の弛緩による開口を防止できるようにした遺体用顎弛緩防止具を収容する容器であって、上記顎弛緩防止具を載置するための本体部と、上記顎弛緩防止具を覆うための空間部を有する蓋部とが折曲自在な連結部によって一体的に連結されており、上記蓋部の空間部は上記二股状接合部材の二股状分岐部を収容する空間と上記板状部を収容する空間とを有し、上記二股状分岐部収容空間の蓋部分は上記本体部との間に二股状分岐部を挟持するように構成され、上記板状部収容空間の蓋部分は板状部との間に隙間を有するように構成されている。そのため、顎弛緩防止具を容器内に収容した状態では、上記顎弛緩防止具の二股状分岐部は、上記容器の蓋部の二股状分岐部収容空間の蓋部分と本体部との間に挟持され、上記遺体用顎弛緩防止具の一対の板状部は上記容器の蓋部の板状部収容空間の蓋部分との間に隙間を有するように収容される。従って、上記板状部の上面及び下面の粘接着剤層にさらに剥離紙を貼り合わせなくても、粘接着剤層が容器にくっ付くことなく安定して顎弛緩防止具を容器内に収容できると共に、容器を開いたときに迅速に顎弛緩防止具を取り出し、すぐに使用可能となる。
【００１５】
また、本発明の遺体用顎弛緩防止装置によれば、容器を開いた後、二股状分岐部両側を摘むことによって迅速に顎弛緩防止具を取り出すことができ、遺体の顎弛緩防止処置を迅速に行うことができる。この際、顎弛緩防止具は、二股状分岐部の弾性により、略Ｕ字状の左右一対の二股状接合部材間の間隔が若干狭くなるように押し曲げ易く、遺体の口中への挿入が容易になると共に、挿入した後、指を離すと、左右一対の二股状接合部材が広がって元の状態に戻り、左右壁部が臼歯の内側面に当接するので、顎弛緩防止具の遺体の口内への装着作業をより簡便かつ確実に行うことができる。また、上記板状部の上面及び下面の臼歯と接触する面に粘接着剤層が形成されており、上記粘接着剤で上下の歯列の比較的頂部表面積が広い上下の臼歯同士を接着・固定するため、顎の弛緩により口が開くのを簡便かつ確実に防止することができる。しかも、遺体の口中に挿入された顎弛緩防止具は、一旦、上下の臼歯同士が接着・固定されると、外から見えないため、遺体の美的観点からも好ましい。
【００１６】
本発明の遺体用顎弛緩防止具を収容するための容器の好適な態様においては、容器の本体部には、前記二股状接合部材の二股状分岐部の下端部を載置するための凹所が形成されていると共に、左右壁部の下端部を載置するための凹溝が形成されているため、遺体用顎弛緩防止装置の組み込み時に、容器の本体部に顎弛緩防止具を安定して載置することができる。さらに好適な態様においては、前記蓋部の二股状分岐部収容空間の蓋部分には、前記二股状接合部材の二股状分岐部に対応する形状の凹溝が形成されているため、上記容器の蓋部の二股状分岐部収容空間の蓋部分と本体部との間に遺体用顎弛緩防止具の二股状分岐部をより安定して挟持することができる。
【００１７】
別の好適な態様においては、前記本体部の辺部所定位置には突部が形成され、前記蓋部の上記突部に対応する辺部所定位置には上記突部に嵌め合わされる凹部が形成されており、上記突部に上記凹部を嵌め合わせることによって本体部に蓋部を簡単に嵌め合わせることができる。また、前記本体部と蓋部の辺縁部には、中心から互いに逆方向に位置ずれしてそれぞれつまみ部が突設されており、本体部に蓋部を嵌め合わせた時に各つまみ部が位置ずれするように構成されている好適な態様においては、容器の本体部から蓋部を開く操作が容易となる。
【図面の簡単な説明】
【００１８】
【図１】本発明に係る遺体用顎弛緩防止装置の一実施態様を示し、容器の本体部に遺体用顎弛緩防止具を載置した状態を示す概略平面図である。
【図２】図１に示す遺体用顎弛緩防止装置の容器の蓋部を閉じた状態を示す概略部分断面側面図である。
【図３】図１に示す遺体用顎弛緩防止具の概略平面図である。
【図４】図１に示す遺体用顎弛緩防止具の下方から見た概略斜視図である。
【図５】図１に示す遺体用顎弛緩防止装置の容器を示す概略平面図である。
【図６】図５に示す容器のVI−VI線矢視断面図である。
【図７】ヒトの歯列を示す概略平面図である。
【図８】図１に示す遺体用顎弛緩防止具を遺体の口内に装着した状態を示す概略側面図である。
【発明を実施するための形態】
【００１９】
本発明の遺体用顎弛緩防止装置は、容器と、該容器内に収容された遺体用顎弛緩防止具からなる。前記したように、容器は、上記顎弛緩防止具を載置するための本体部と、上記顎弛緩防止具を覆うための空間部を有する蓋部とが折曲自在な連結部によって一体的に連結されており、上記蓋部の空間部は上記二股状接合部材の二股状分岐部を収容する空間と上記板状部を収容する空間とを有し、上記二股状分岐部収容空間の蓋部分は上記本体部との間に二股状分岐部を挟持するように構成され、上記板状部収容空間の蓋部分は板状部との間に隙間を有するように構成されている。一方、遺体用顎弛緩防止具は、臼歯の内側面に配置される左右壁部を有する略Ｕ字状の二股状接合部材と、該二股状接合部材の両端部側の左右壁部上端から外側方に延在する、遺体の臼歯を覆う一対の板状部とを備え、上記板状部の上面及び下面の臼歯と接触する面に粘接着剤層が形成されており、上記粘接着剤で上下の歯列を接着し、顎の弛緩による開口を防止できるように構成されている。
【００２０】
上記遺体用顎弛緩防止具の容器内への収容においては、顎弛緩防止具の二股状分岐部は、上記容器の蓋部の二股状分岐部収容空間の蓋部分と本体部との間に挟持され、上記顎弛緩防止具の一対の板状部は上記容器の蓋部の板状部収容空間の蓋部分との間に隙間を有するように収容される。遺体用顎弛緩防止具を容器内に安定して収容するためには、容器の蓋部の二股状分岐部収容空間の蓋部分と本体部との間に遺体用顎弛緩防止具の二股状分岐部が挟持されればよく、そのためには種々の態様を採用することができるが、好ましくは、容器の本体部に、前記二股状接合部材の二股状分岐部の下端部を載置するための凹所が形成されていると共に、左右壁部の下端部を載置するための凹溝が形成されている態様が望ましい。これにより、遺体用顎弛緩防止装置の組み込み時に、容器の本体部に顎弛緩防止具を安定して載置することができる。さらに好ましくは、前記蓋部の二股状分岐部収容空間の蓋部分には、前記二股状接合部材の二股状分岐部に対応する形状の凹溝が形成されている。これにより、上記容器の蓋部の二股状分岐部収容空間の蓋部分と本体部との間に顎弛緩防止具の二股状分岐部をより安定して挟持することができる。
【００２１】
また、上記板状部の上面及び下面の粘接着剤層にさらに剥離紙を貼り合わせなくても、粘接着剤層が容器の蓋部等にくっ付くことなく遺体用顎弛緩防止具を容器内に収容できるようにするためには、上記顎弛緩防止具の一対の板状部は上記容器の蓋部の板状部収容空間の蓋部分との間に隙間を有するようにすることが必要である。これによって、板状部の上面及び下面の粘接着剤層にさらに剥離紙を貼り合わせたときの剥離紙の剥離操作が不要となり、容器を開いたときに迅速に遺体用顎弛緩防止具を取り出し、すぐに使用可能となる。
【００２２】
本発明に用いる遺体用顎弛緩防止具は、比較的単純な構成で遺体の口中に簡単に挿入でき、顎弛緩防止具の装着作業を容易とするため、また、上下の歯列の比較的頂部表面積が広い上下の臼歯同士を接着・固定して顎の弛緩により口が開くのを簡便かつ確実に防止することができ、しかも、遺体の口中に挿入された顎弛緩防止具は、一旦、上下の臼歯同士が接着・固定されると、外から見えないようにするために、遺体の臼歯を覆う左右一対の板状部と、該板状部に対して略垂直に形成され、臼歯の側面に配置される左右壁部とを有する接合部材を備え、少なくとも上記板状部の上面及び下面の臼歯と接触する面に粘接着剤層が形成されていることを特徴としている。
【００２３】
上下の臼歯同士を強い接合強度で接着・固定できるようにするためには、前記板状部に一つ以上の貫通孔を形成し、上下の臼歯間に介挿されて噛み合わされた時に、板状部の上面に設けられた粘接着剤層と下面に設けられた粘接着剤層が貫通孔を介して一体化されるようにすることが好ましい。尚、比較的軟らかい粘接着剤を用いて、口内への装着前に予め貫通孔内が粘接着剤で充填された状態とすることもできる。
【実施例】
【００２４】
以下、添付図面を参照しながら、本発明の遺体用顎弛緩防止装置の好適な態様の具体例について説明する。
図１及び図２は、本発明の遺体用顎弛緩防止装置１の一実施態様を示しており、図１は容器２の本体部３に遺体用顎弛緩防止具３０を載置した状態を示し、図２は容器２の蓋部４を閉じた状態を示している。
【００２５】
顎弛緩防止具３０は、図３及び図４に示されるように、臼歯の内側面に配置される左右壁部３２を有する略Ｕ字状の二股状接合部材３１と、該二股状接合部材３１の両端部側の左右壁部上端から外側方に延在する、遺体の臼歯を覆う一対の板状部３４とを一体的に備えており、該板状部３４には２つの貫通孔３５がそれぞれ形成されている。尚、上記板状部３４の上面及び下面の臼歯と接触する面には粘接着剤層が塗布・形成されるが、判り易いように、図３及び図４では粘接着剤層の図示は省略されている。二股状分岐部（連結部）３３は、中央部に、やや湾曲した中央側壁部３９とそれに向かって内側に湾曲した左右側壁部３７とから形成された凹陥部３６を有しており、該凹陥部３６を形成する中央側壁部３９及び左右側壁部３７は下方から上方にかけて前方にやや突出したテーパ状に形成されていると共に、左右側壁部３７の外面にはそれぞれ３個の突条３８が形成され、指で挟持する際に持ち易いようになっている。
【００２６】
従って、指で左右側壁部９，９の内側にやや湾曲した部分を挟むことによって顎弛緩防止具３０を持ち易く、且つ、左右壁部３２間の間隔が若干狭くなるように押し曲げ易くなり、遺体の口中への挿入・装着作業をより簡便に行うことができる。また、板状部３４は、図示されるように水平状であってもよいが、臼歯（小臼歯及び大臼歯）の頂部表面に対応するように、前後両端部がやや反り上がった湾曲状に形成し、装着した時に臼歯（小臼歯及び大臼歯）の頂部表面にぴったりと合致するようにすることが好ましい。
【００２７】
上記顎弛緩防止具３０の材質としては、比較的弾性のあるプラスチックや金属などを使用することができる。但し、遺体を火葬する習慣のある国では、金属は焼却されずに残るため、プラスチック製とすることが好ましい。プラスチックとしては、例えば、ポリスチロール（ＰＳ）、ポリビニクロライド（ＰＶＣ）、ポリエチレンテレフタレート（ＰＥＴ）、ポリブチレンテレフタレート（ＰＢＴ）、ポリプロピレン（ＰＰ）、ポリエチレン（ＰＥ）、エチレン−酢酸ビニル共重合体（ＥＶＡ）、エチレン−アクリル酸共重合体（ＥＡＡ）、ナイロン等のポリアミド（ＰＡ）、ポリエステル系熱可塑性エラストマー（ＴＰＥＥ）、ポリアミド系熱可塑性エラストマー（ＰＰＡＥ）などを好適に用いることができる。
【００２８】
板状部３４は、臼歯（小臼歯及び大臼歯）を覆うような大きさであることが好ましい。歯列は、図７に示されるように、前側から左右一対の中切歯Ａ、側切歯Ｂ、犬歯Ｃ、第一小臼歯Ｄ、第二小臼歯Ｅ、第一大臼歯Ｆ、第二大臼歯Ｇ、第三大臼歯Ｈの順に並んでいる。従って、上下の列歯同士を接着・固定するためには、板状部３４は、少なくとも２つ以上の小臼歯及び／又は大臼歯（好ましくは大臼歯）を覆うような大きさである必要があり、好ましくは３つ以上の小臼歯及び／又は大臼歯、さらに好ましくは第一小臼歯Ｄ、第二小臼歯Ｅ、第一大臼歯Ｆ、第二大臼歯Ｇ、第三大臼歯Ｈの全てを覆うような大きさであることが好ましい。板状部３４の形状は、歯列の形状に相応する形状、例えば図示のような湾曲した楕円形のほか、湾曲した長方形など、必要な数の臼歯（小臼歯及び大臼歯）を覆うような大きさであれば任意の形状でよい。尚、対象となる歯は、入れ歯であってもよい。
【００２９】
左右壁部３２及び二股状分岐部３３の厚さは、約０．３ｍｍ〜２．０ｍｍ程度が好ましい。また、板状部３４の厚さは、約０．２ｍｍ〜１．５ｍｍ程度が好ましい。貫通孔３５は、上記実施態様では略楕円形に２個形成されているが、正方形、長方形、楕円、円形など任意の形状でよく、またその数も１つ以上の任意の数でよい。尚、貫通孔３５の合計面積が大きいほど、上下の粘接着剤が一体化し易く、接着強度の点では好ましい。
また、粘接着剤層の形状は、板状部３４の形状とほぼ等しい形状が好ましいが、正方形、長方形、楕円、円形など任意の形状でよい。また、粘接着剤層の厚さは約０．１ｍｍ〜２ｍｍ程度が好ましい。
【００３０】
一方、容器２は、図５及び図６に示されるように、前記顎弛緩防止具３０を載置するための本体部３と、前記顎弛緩防止具３０を覆うための空間部Ｓを有する蓋部４とが、折曲自在な連結部５によって一体的に連結されている。
上記本体部３は、左方に向って略台形状の隆起した基台部６を有する。該基台部６には、横方向中心軸線に沿って、左端の突部７と、前記顎弛緩防止具３０の二股状分岐部３３の形状に対応する略三角形状の隆起部８と、該略三角形状の隆起部８を囲むようにそれよりも僅かに高い略Ｕ字状の隆起部１１が形成され、上記略三角形状の隆起部８の左端の若干高くなっている突部９と上記左端の突部７との間に、前記顎弛緩防止具３０の二股状分岐部３３の中央側壁部３９の下端部を載置するための凹所１０が形成されている。また、上記略三角形状の隆起部８の両側とそれを囲む略Ｕ字状の隆起部１１との間には、前記顎弛緩防止具３０の左右壁部３２の下端部を載置するための凹溝１２がそれぞれ形成されており、該凹溝１２の底部は上記凹所１０の底部よりも低いような深さとなっている。さらに、上記本体部３の辺部１３の略中央部には、略楕円形状の突部１４が形成され、また、辺縁部には、中心から下側に位置ずれして略半円形状のつまみ部１５が突設されている。
【００３１】
また、上記蓋部４には前記基台部６に対応する形状の凹陥部１６が形成されており、それにより形成される空間部Ｓは、前記顎弛緩防止具３０の二股状接合部材３１の二股状分岐部収容空間Ｓ１と板状部収容空間Ｓ２とを有し、上記二股状分岐部収容空間Ｓ１の蓋部分１７は上記本体部３との間に二股状分岐部３３を挟持するような深さに設定され、上記板状部収容空間Ｓ２の蓋部分１８は上記二股状分岐部収容空間Ｓ１よりも深く、板状部３４との間に隙間を有するような深さに設定されていると共に、上記二股状分岐部収容空間Ｓ１の両側部を部分的に囲繞するような形状となっている。また、蓋部４の二股状分岐部収容空間Ｓ１の蓋部分１７には、前記二股状接合部材３１の二股状分岐部３３に対応する形状の凹溝１９が形成されている。さらに、該蓋部４の辺部２０の前記本体部３の突部１４に対応する位置の略中央部には、上記突部１４に嵌め合わされる略楕円形状の凹部２１が形成され、また、辺縁部には、中心から上側に位置ずれして略半円形状のつまみ部２２が突設されている。尚、符号２３は、蓋部４の強度補強用の凹溝であり、顎弛緩防止具３０が収容されているマークとしても機能する。
【００３２】
上記容器２の材質としても、比較的弾性のあるプラスチックを使用することができる。プラスチックとしては、例えば、ポリスチロール（ＰＳ）、ポリビニクロライド（ＰＶＣ）、ポリエチレンテレフタレート（ＰＥＴ）、ポリブチレンテレフタレート（ＰＢＴ）、ポリプロピレン（ＰＰ）、ポリエチレン（ＰＥ）、エチレン−酢酸ビニル共重合体（ＥＶＡ）、エチレン−アクリル酸共重合体（ＥＡＡ）、ナイロン等のポリアミド（ＰＡ）、ポリエステル系熱可塑性エラストマー（ＴＰＥＥ）、ポリアミド系熱可塑性エラストマー（ＰＰＡＥ）などを好適に用いることができる。
【００３３】
前記顎弛緩防止装置１の組み込みに際しては、図１に示されるように容器２の本体部３に顎弛緩防止具３０を載置した状態で、図２に示されるように容器２の蓋部４を閉じて本体部３の突部１４に蓋部４の凹部２１を嵌め合わせることによって、本体部３に蓋部４を嵌め合わせることができる。さらに確実に閉じた状態とするためには、必要に応じて、粘着テープで本体部３と蓋部４の辺部同士を留めることもできる。収容された顎弛緩防止具３０を取り出して使用するに当たっては、前記本体部３と蓋部４の辺縁部には、中心から互いに逆方向に位置ずれしてそれぞれつまみ部１５，２２が突設されているため、これらのつまみ部１５，２２を持って容易に引き剥がすことができる。尚、上記つまみ部１５，２２は、本体部３に蓋部４を嵌め合わせた時に各つまみ部が位置ずれするように構成されているが、つまみ部１５，２２を持って本体部３から蓋部４を容易に引き剥がすことができる形状、配置であればよく、任意に設計できる。また、本実施態様では、本体部３の突部１４に蓋部４の凹部２１を嵌め合わせる構造となっているが、容易に開閉自在な係合機構であればよく、任意のスナップ嵌め構造を採用できる。
【００３４】
上記顎弛緩防止具３０の使用においては、例えば、指で左右一対の接合部材３１を挟み、左右壁部３２間の間隔が若干狭くなるように押し曲げ、遺体の口中へ挿入する。挿入した後、指を離すと、略Ｕ字状に屈曲した二股状分岐部３３の弾性により左右壁部３２が広がって元の状態に戻り、臼歯の内側面に当接する。その後、弛緩している顎部を閉じることにより、図８に示されるように、上下の臼歯同士が前記板状部３４の上下面の粘接着剤層４０により接着・固定される。上記顎弛緩防止具３０においては、前記板状部３４に貫通孔３５が形成されているため、上下の臼歯間に介挿されて噛み合わされた時に、板状部３４の上面に設けられた粘接着剤層４０と下面に設けられた粘接着剤層４０が貫通孔３５を介して一体化される。そのため、上下の臼歯同士を強い接合強度で接着・固定することができ、顎の弛緩により口が開くのをより確実に防止することができる。
【００３５】
以上、本発明の遺体用顎弛緩防止装置の好適な態様について説明したが、本発明は前記した態様に限定されるものではなく、任意の設計変更が可能である。例えば、前記実施態様では、前記一対の板状部の内側縁部に略垂直に垂下して左右壁部（内側下方壁部）が形成されているが、さらに、板状部の内側縁部に略垂直に上方に立設された内側上方壁部を形成することもできる。あるいはさらに、前記板状部の外側縁部に略垂直に上方に立設された外側上方壁部及び／又は下方に垂下して形成された外側下方壁部を含み、これらの板状部両側の内側下方壁部と外側下方壁部とで下顎の歯列に跨るように、及び／又は、板状部両側の内側上方壁部と外側上方壁部とで上顎の歯列に跨るように構成することもできる。
【００３６】
前記粘接着剤層としては、従来公知の各種粘接着剤、特に軟膏形の粘接着剤を用いることができ、特定の粘接着剤に限定されるものではない。軟膏形の粘接着剤としては、例えば、室温で液状の炭素数５以上の一価のアルコール類や多価アルコール類などのアルコール系有機溶剤（Ａ）と、カルボキシビニルポリマー、カルボキシビニルポリマーのアルカリ塩等のアクリル酸重合体もしくは架橋型アクリル酸重合体、ポリエチレンイミン、ポリビニルピロリドン、ポリビニルメチルエーテル、ポリエチレンオキサイド、ポリアルキレンオキサイド系の熱可塑性を有するノニオン型吸水性樹脂、合成親油性スメクタイト、デンプン糖［Ｄ．Ｅ．（ｄｅｘｔｒｏｓｅ  ｅｑｕｉｖａｌｅｎｔ）が５０％以下］などの少なくとも１種の増粘剤（Ｂ）を含有した粘稠液基剤に、プラスチックファイバー、グラスファイバー、絹繊維、パルプ繊維、綿、セピオライト等の繊維状粘土鉱物などの少なくとも１種のフィラー（Ｃ）を含有している軟膏形粘接着剤を好適に用いることができる。
【００３７】
アルコール系有機溶剤（Ａ）としては、室温で液状の炭素数５以上のアルコール溶剤は全て使用でき、特定のものに限定されないが、例えば、一価のアルコール類としては、アミルアルコール、ヘキシルアルコール、青葉アルコール、ヘプチルアルコール、オクチルアルコール、ノニルアルコール、デシルアルコール、ベンジルアルコール等が挙げられる。多価アルコール類としては、エチレングリコール、ジエチレングリコール、トリエチレングリコール、プロピレングリコール、グリセリン、ポリエチレングリコール（重合度の平均分子量が５００以下）等が挙げられる。これらのアルコール系有機溶剤（Ａ）は、単独で又は２種以上を組み合わせて用いることができる。
【００３８】
アルコール系有機溶剤（Ａ）の含有量は、軟膏形粘接着剤全体量の約２０〜９０質量％が好ましく、より好ましくは２５〜８５質量％、さらに好ましくは３０〜８０質量％である。アルコール系有機溶剤（Ａ）の含有量が９０質量％を超えて多量に配合されると、軟膏形粘接着剤が軟らかくなり、上下顎の歯列又は歯茎をしっかり接着・固定することができなくなるので好ましくない。一方、アルコール系有機溶剤の含有量が低すぎると、軟膏形粘接着剤が硬くなり、接着力が低下するので好ましくない。
【００３９】
増粘剤（Ｂ）の含有量は、軟膏形粘接着剤全体量の約１０〜８０質量％が好ましく、より好ましくは１２〜７０質量％である。増粘剤（Ｂ）の含有量が８０質量％を超えて多量に配合されると、軟膏形粘接着剤が硬くなり、柔軟性が低下し、接着力が悪くなり、使用時に支障をきたす。また、経済性の点からも好ましくない。一方、増粘剤（Ｂ）の含有量が低すぎると、軟膏形粘接着剤が軟らかくなって、接着力が低下し、上下顎の歯列又は歯茎をしっかり接着・固定することができなくなるので好ましくない。
【００４０】
増粘剤（Ｂ）としてのカルボキシビニルポリマーのアルカリ塩は、カルボキシビニルポリマーをアルカリ性物質で中和したものであり、中和することにより著しく増粘する。アルカリ中和剤としては、例えば、ジエタノールアミン、トリエタノールアミン、ジイソプロパノールアミン、ジ−２（エチルヘキシル）アミン、トリアミルアミン、ドデシルアミン、モルフォリンなどのアミン類、水酸化ナトリウム、水酸化カリウム、水酸化アンモニウムなどの無機塩、アンモニア水などが例示でき、その中でも取り扱いが容易であることからアミン類が好ましい。
【００４１】
フィラー（Ｃ）の含有量は、軟膏形粘接着剤全体量の０〜５０質量％が好ましく、より好ましくは１〜３５質量％である。フィラー（Ｃ）の含有量が５０質量％を超えて多量に配合されると、軟膏形粘接着剤が硬くなり、柔軟性が低下し、接着力が悪くなり、上下顎の歯列又は歯茎の接着が悪くなり、口が開いてくるなどの支障をきたすので好ましくない。一方、フィラー（Ｃ）を含有せず、あるいはその含有量が低すぎると、軟膏形粘接着剤が軟らかくなって、接着力が低下し、上下顎の歯列又は歯茎をしっかり接着・固定することができ難くなるので好ましくない。
【００４２】
さらに、前記軟膏形粘接着剤を安定に維持するために、安定剤として、酸化防止剤（Ｄ）や、防カビ・防腐剤（Ｅ）などの少なくとも１種を含有することができる。
酸化防止剤（Ｄ）としては、従来知られている各種酸化防止剤を用いることができ、特定のものに限定されないが、それらの中でも、α−トコフェロール、ノルジヒドログアヤレチック酸（ＮＤＧＡ）、ブチルヒドロキシアニソール（ＢＨＡ）、ジブチルヒドロキシトルエン（ＢＨＴ）、没食子酸エステル、クエン酸イソプロピル、Ｌ−アスコルビン酸ナトリウム、Ｌ−アスコルビン酸、イソアスコルビン酸などが挙げられる。これらを単独で又は２種以上を組み合わせて用いることができる。
【００４３】
防カビ・防腐剤（Ｅ）としては、安息香酸ナトリウム、パラオキシ安息香酸ナトリウム、パラオキシ安息香酸ブチル、パラオキシ安息香酸プロピル、パラオキシ安息香酸イソブチル、プロピオン酸ナトリウム、チアベンダゾール、イソチアゾロンなどが挙げられる。これらを単独で又は２種以上を組み合わせて用いることができる。
【００４４】
酸化防止剤（Ｄ）及び防カビ・防腐剤（Ｅ）の含有量は、各成分の所望の効果を維持し、安全性及び良好な経済性の観点から、軟膏形粘接着剤全体に占める割合で、酸化防止剤（Ｄ）、防カビ・防腐剤（Ｅ）はそれぞれ約０．００１〜１０質量％が好ましく、より好ましくは約０．００５〜８質量％である。
【００４５】
以下、軟膏形粘接着剤の処方例及び試験例を示して本発明についてより具体的に説明するが、本発明はこれらに限定されるものではない。
軟膏形粘接着剤の処方例：
表１に示す配合割合で、アルコール系有機溶剤（プロピレングリコール）（Ａ）に酸化防止剤（ジブチルヒドロキシトルエン）（Ｄ）を溶解し、さらに、増粘剤（カルボキシビニールポリマー）（Ｂ）を溶解して粘稠液基剤を調合した。この粘稠液基剤の中にフィラー（グラスファイバー）（Ｃ）を加えてよく撹拌して軟膏形粘接着剤を調製した。
【００４６】
【表１】
2011024723.tif 000003
【００４７】
試験例：
前記のようにして調製した軟膏形粘接着剤を、図３に示す板状部の上面、下面に貫通孔を介して挟むように固着した遺体用顎弛緩防止具を作製した。
得られた遺体用顎弛緩防止具を、遺体の代用として歯列、歯茎並びに顎関節を有する複製咬合模型（（株）ニッシン製）に装着したところ、十分な係止力を発揮し、上下の顎を一体的に接着・固定することができた。
【符号の説明】
【００４８】
１  顎弛緩防止装置
２  容器
３  本体部
４  蓋部
５  連結部
６  基台部
７，９，１４  突部
８，１１  隆起部
１０  凹所
１２，１９  凹溝
１５，２２  つまみ部
２１  凹部
３０  顎弛緩防止具
３１  二股状接合部材
３２  左右壁部
３３  二股状分岐部
３４  板状部
３５  貫通孔
３６  凹陥部
３７  左右側壁部
３８  突条
３９  中央側壁部
４０  粘接着剤層
Ｓ１  二股状分岐部収容空間
Ｓ２  板状部収容空間
【図１】
2011024723.tif 000004
【図２】
2011024723.tif 000005
【図３】
2011024723.tif 000006
【図４】
2011024723.tif 000007
【図５】
2011024723.tif 000008
【図６】
2011024723.tif 000009
【図７】
2011024723.tif 000010
【図８】
2011024723.tif 000011